(57)【要約】【課題】表示装置と通信装置との間で解釈可能なデータの形式や使用する通信プロトコルが異なっていても、通信装置が取得するデータの内容を表示装置にて表示する。【解決手段】文書サーバ装置は、携帯電話が解釈可能な第１の形式のデータを、表示装置が解釈可能な第２の形式のデータに変換する。携帯電話機は、独自の通信プロトコルに従って第１の形式のデータを取得すると、当該データの取得を表示装置に通知する。表示装置は、携帯電話機からデータの取得が通知されると、携帯電話機を介して、第２の形式に変換された変換データをＰＰＰプロトコルに従って文書サーバ装置から取得し、取得した変換データを解釈して、そのデータに応じた画像を記憶性表示体に表示させる。【選択図】図１
2010068094.tif 000002
【特許請求の範囲】
【請求項１】
通信装置と、変換装置と、前記通信装置に接続される表示装置とを備え、
前記通信装置は、
第１の通信プロトコル又は当該第１の通信プロトコルとは異なる第２の通信プロトコルのいずれかに従って通信を行う通信手段と、
前記通信手段が前記第１の通信プロトコルに従って第１の形式のデータを取得すると、当該データの取得を前記表示装置に通知する通知手段とを備え、
前記変換装置は、
前記第１の形式のデータを取得し、取得した当該第１の形式のデータを、当該第１の形式とは異なる前記表示装置が解釈可能な第２の形式のデータに変換する変換手段を備え、
前記表示装置は、
画像を表示する表示手段と、
前記通信装置の前記通知手段によって前記データの取得が通知されると、当該通信装置の前記通信手段を介して、第１の形式の当該データが変換された前記第２の形式のデータを前記第２の通信プロトコルに従って前記変換装置から取得する取得手段と、
前記取得手段によって取得された第２の形式のデータを解釈して、当該データに応じた画像を前記表示手段に表示させる制御手段とを備える
ことを特徴とする通信システム。
【請求項２】
前記データは、複数のページに区切られており、
前記表示装置の前記取得手段は、前記通信装置の前記通知手段によって前記データの取得が通知されると、当該通信装置の前記通信手段を介して、第１の形式の当該データが変換された前記第２の形式のデータの最初のページを前記変換装置から取得し、
取得した当該最初のページ以外の他ページの表示が指示されると、当該通信装置の前記通信手段を介して、前記第２の形式のデータの当該他ページを前記変換装置から取得する
ことを特徴とする請求項１に記載の通信システム。
【請求項３】
前記変換装置は、
前記取得した第１の形式のデータの内容が表示に適さない場合には、前記変換手段による前記第２の形式のデータへの変換を禁止し、又は前記表示装置の前記取得手段による当該データの取得を禁止する禁止手段を備える
ことを特徴とする請求項１又は２に記載の通信システム。
【請求項４】
通信装置と、前記通信装置に接続される表示装置とを備え、
前記通信装置は、
第１の通信プロトコル又は当該第１の通信プロトコルとは異なる第２の通信プロトコルのいずれかに従って通信を行う通信手段と、
前記通信手段が前記第１の通信プロトコルに従って第１の形式のデータを取得すると、当該データの取得を前記表示装置に通知する通知手段とを備え、
前記表示装置は、
画像を表示する表示手段と、
前記通信装置の前記通知手段によって前記データの取得が通知されると、当該通信装置の前記通信手段を介して、前記第１の形式のデータを当該第１の形式とは異なる自装置が解釈可能な第２の形式のデータに変換する変換装置から、変換された当該第２の形式のデータを前記第２の通信プロトコルに従って取得する取得手段と、
前記取得手段によって取得された第２の形式のデータを解釈して、当該データに応じた画像を前記表示手段に表示させる制御手段とを備える
ことを特徴とする表示システム。
【請求項５】
通信装置と通信を行う通信手段と、
画像を表示する表示手段と、
前記画像を表示させるためのデータを取得する取得手段と、
前記取得手段によって取得されたデータに応じた画像を前記表示手段に表示させる制御手段と、を有する表示装置であって、
前記取得手段は、前記通信手段が前記通信装置から取得した第１の形式のデータが、自装置が解釈可能なデータ形式と異なる場合、自装置が解釈可能な第２の形式のデータを取得する
ことを特徴とする表示装置。
【請求項６】
前記通信手段は、第１の通信プロトコルに従って第１の形式のデータを取得する通信装置と通信を行い、
前記取得手段は、前記通信装置によって前記データの取得が通知されると、前記通信手段によって当該通信装置と通信を行い、当該通信装置を介して、前記第１の形式のデータを当該第１の形式とは異なる自装置が解釈可能な第２の形式のデータに変換する変換装置から、変換された当該第２の形式のデータを前記第１の通信プロトコルとは異なる第２の通信プロトコルに従って取得し、
前記制御手段は、前記取得手段によって取得された第２の形式のデータを解釈して、当該データに応じた画像を前記表示手段に表示させる
ことを特徴とする請求項５記載の表示装置。
【請求項７】
前記通信装置によって前記データの取得が通知されたときには、第１の動作状態で動作し、
前記表示手段に前記画像が表示されてから、前記通信装置によって新たなデータの取得が通知されるまでの間は、前記第１の動作状態よりも電力消費が少ない第２の動作状態で動作する
ことを特徴とする請求項５又は６に記載の表示装置。
【請求項８】
コンピュータを、
第１の通信プロトコルに従って第１の形式のデータを取得する通信装置によって当該データの取得が通知されると、通信手段によって当該通信装置と通信を行い、当該通信装置を介して、前記第１の形式のデータを当該第１の形式とは異なる前記コンピュータが解釈可能な第２の形式のデータに変換する変換装置から、変換された当該第２の形式のデータを前記第１の通信プロトコルとは異なる第２の通信プロトコルに従って取得する取得手段と、
前記取得手段によって取得された第２の形式のデータを解釈して、当該データに応じた画像を表示手段に表示させる制御手段と
して機能させるためのプログラム。
【発明の詳細な説明】
【技術分野】
【０００１】
本発明は、通信装置が取得するデータの内容を表示装置にて表示する技術に関する。
【背景技術】
【０００２】
データを送信先の通信装置が解釈可能な形式に変換してから送信する技術が知られている。例えば、特許文献１には、携帯機の位置情報をＩＰサーバが取扱い可能な表現形式に変換した後、ＩＰサーバに通知する技術が開示されている。特許文献２には、生成した画像を受信端末の機種に最適な画像に変換し、変換した画像を表す画像データを受信端末に送信する技術が開示されている。特許文献３には、通信端末装置が要求するデータをネットワーク上から取得し、取得したデータを通信端末装置から通知された変換形式に基づいて変換した後、通信端末装置に送信する技術が開示されている。
【特許文献１】特開２００７−７４７３９号公報
【特許文献２】特開２００３−２７４３８１号公報
【特許文献３】特開２００２−６３１０７号公報
【発明の開示】
【発明が解決しようとする課題】
【０００３】
ところで、携帯電話機のように可搬性の高い通信装置においては、表示部の表示領域が小さいため、文章画像のような細かい画像を見るのには適していない。そこで、通信装置に表示装置を接続して、通信装置が取得したデータの内容を表示装置にて表示できれば便利である。しかしながら、表示装置と通信装置との間で解釈可能なデータの形式や使用可能な通信プロトコルが異なる場合には、通信装置と表示装置とを単に接続しただけでは、これを実現することができない。
本発明は、表示装置と通信装置との間で解釈可能なデータの形式や使用する通信プロトコルが異なっていても、通信装置が取得するデータの内容を表示装置にて表示することを目的とする。
【課題を解決するための手段】
【０００４】
本発明は、通信装置と、変換装置と、前記通信装置に接続される表示装置とを備え、前記通信装置は、第１の通信プロトコル又は当該第１の通信プロトコルとは異なる第２の通信プロトコルのいずれかに従って通信を行う通信手段と、前記通信手段が前記第１の通信プロトコルに従って第１の形式のデータを取得すると、当該データの取得を前記表示装置に通知する通知手段とを備え、前記変換装置は、前記第１の形式のデータを取得し、取得した当該第１の形式のデータを、当該第１の形式とは異なる前記表示装置が解釈可能な第２の形式のデータに変換する変換手段を備え、前記表示装置は、画像を表示する表示手段と、前記通信装置の前記通知手段によって前記データの取得が通知されると、当該通信装置の前記通信手段を介して、第１の形式の当該データが変換された前記第２の形式のデータを前記第２の通信プロトコルに従って前記変換装置から取得する取得手段と、前記取得手段によって取得された第２の形式のデータを解釈して、当該データに応じた画像を前記表示手段に表示させる制御手段とを備えることを特徴とする通信システムを提供する。これにより、表示装置と通信装置との間で解釈可能なデータの形式や使用する通信プロトコルが異なっていても、通信装置が取得するデータの内容を表示装置にて表示することができる。
【０００５】
本発明の好ましい態様において、前記データは、複数のページに区切られており、前記表示装置の前記取得手段は、前記通信装置の前記通知手段によって前記データの取得が通知されると、当該通信装置の前記通信手段を介して、第１の形式の当該データが変換された前記第２の形式のデータの最初のページを前記変換装置から取得し、取得した当該最初のページ以外の他ページの表示が指示されると、当該通信装置の前記通信手段を介して、前記第２の形式のデータの当該他ページを前記変換装置から取得してもよい。これにより、複数のページに区切られたデータのうち、表示するページのデータだけを取得することができる。
【０００６】
本発明の好ましい態様において、前記変換装置は、前記取得した第１の形式のデータの内容が表示に適さない場合には、前記変換手段による前記第２の形式のデータへの変換を禁止し、又は前記表示装置の前記取得手段による当該データの取得を禁止する禁止手段を備えてもよい。これにより、表示に適さない内容のデータについては、表示装置が解釈可能な第２の形式のデータへの変換乃至表示装置への供給を行わないことができる。
【０００７】
本発明は、通信装置と、前記通信装置に接続される表示装置とを備え、前記通信装置は、第１の通信プロトコル又は当該第１の通信プロトコルとは異なる第２の通信プロトコルのいずれかに従って通信を行う通信手段と、前記通信手段が前記第１の通信プロトコルに従って第１の形式のデータを取得すると、当該データの取得を前記表示装置に通知する通知手段とを備え、前記表示装置は、画像を表示する表示手段と、前記通信装置の前記通知手段によって前記データの取得が通知されると、当該通信装置の前記通信手段を介して、前記第１の形式のデータを当該第１の形式とは異なる自装置が解釈可能な第２の形式のデータに変換する変換装置から、変換された当該第２の形式のデータを前記第２の通信プロトコルに従って取得する取得手段と、前記取得手段によって取得された第２の形式のデータを解釈して、当該データに応じた画像を前記表示手段に表示させる制御手段とを備えることを特徴とする表示システムを提供する。これにより、表示装置と通信装置との間で解釈可能なデータの形式や使用する通信プロトコルが異なっていても、通信装置が取得するデータの内容を表示装置にて表示することができる。
【０００８】
本発明は、通信装置と通信を行う通信手段と、画像を表示する表示手段と、前記画像を表示させるためのデータを取得する取得手段と、前記取得手段によって取得されたデータに応じた画像を前記表示手段に表示させる制御手段と、を有する表示装置であって、前記取得手段は、前記通信手段が前記通信装置から取得した第１の形式のデータが、自装置が解釈可能なデータ形式と異なる場合、自装置が解釈可能な第２の形式のデータを取得することを特徴とする表示装置を提供する。これにより、通信装置から取得したデータが自装置の解釈可能なデータ形式と異なっていても、そのデータの内容を表示することができる。
【０００９】
本発明の好ましい態様において、前記表示装置の前記通信手段は、第１の通信プロトコルに従って第１の形式のデータを取得する通信装置と通信を行い、前記取得手段は、前記通信装置によって前記データの取得が通知されると、前記通信手段によって当該通信装置と通信を行い、当該通信装置を介して、前記第１の形式のデータを当該第１の形式とは異なる自装置が解釈可能な第２の形式のデータに変換する変換装置から、変換された当該第２の形式のデータを前記第１の通信プロトコルとは異なる第２の通信プロトコルに従って取得し、前記制御手段は、前記取得手段によって取得された第２の形式のデータを解釈して、当該データに応じた画像を前記表示手段に表示させてもよい。これにより、通信装置との間で解釈可能なデータの形式や使用する通信プロトコルが異なっていても、通信装置が取得するデータの内容を表示することができる。
【００１０】
本発明の好ましい態様において、前記表示装置は、前記通信装置によって前記データの取得が通知されたときには、第１の動作状態で動作し、前記表示手段に前記画像が表示されてから、前記通信装置によって新たなデータの取得が通知されるまでの間は、前記第１の動作状態よりも電力消費が少ない第２の動作状態で動作してもよい。これにより、この構成を採用しない場合と比べて、表示装置の電力消費を減らすことができる。
【００１１】
本発明は、コンピュータを、第１の通信プロトコルに従って第１の形式のデータを取得する通信装置によって当該データの取得が通知されると、通信手段によって当該通信装置と通信を行い、当該通信装置を介して、前記第１の形式のデータを当該第１の形式とは異なる前記コンピュータが解釈可能な第２の形式のデータに変換する変換装置から、変換された当該第２の形式のデータを前記第１の通信プロトコルとは異なる第２の通信プロトコルに従って取得する取得手段と、前記取得手段によって取得された第２の形式のデータを解釈して、当該データに応じた画像を表示装置に表示させる制御手段として機能させるためのプログラムを提供する。これにより、コンピュータの通信手段と通信装置との間で解釈可能なデータの形式や使用する通信プロトコルが異なっていても、通信装置が取得するデータの内容をコンピュータの表示手段にて表示することができる。
【発明を実施するための最良の形態】
【００１２】
［構成］
（通信システムの構成）
図１は、本実施形態に係る通信システム１の構成を示す図である。同図に示すように、この通信システム１では、文書サーバ装置１０及びメールサーバ装置４０がイントラネットＮ１を介して接続されており、認証サーバ装置５０及びアクセスポイントサーバ装置７０がインターネットＮ２を介して接続されている。また、認証サーバ装置５０及び中継装置６０は、ファイアーウォール装置８０を介してイントラネットＮ１に接続されている。携帯電話機２０は、中継装置６０やアクセスポイント９０と無線通信を行うことができる。つまり、携帯電話機２０は、中継装置６０を介してイントラネットＮ１に接続することができるとともに、アクセスポイント９０，アクセスポイントサーバ装置７０，認証サーバ装置５０を介してイントラネットＮ１に接続することもできる。また、携帯電話機２０は、表示装置３０と無線通信を行うことができる。本実施形態では、変換装置として文書サーバ装置１０を用い、通信装置として携帯電話機２０を用い、表示装置として表示装置３０を用いている。
【００１３】
（文書サーバ装置の構成）
次に、文書サーバ装置１０の構成について説明する。この文書サーバ装置１０は、携帯電話機２０が解釈可能な形式のデータを、表示装置３０が解釈可能な形式に変換する機能を有している。図２は、文書サーバ装置１０の構成を示すブロック図である。同図に示すように、文書サーバ装置１０は、ＣＰＵ（Central Processing Unit）１１と、ＲＡＭ（Random Access Memory）１２と、ＲＯＭ（Read Only Memory）１３と、通信部１４と、記憶部１５とを備えている。本実施形態では、変換手段としてＣＰＵ１１を用いている。ＣＰＵ１１は、ＲＯＭ１３又は記憶部１５に記憶されているプログラムを実行して各種の処理を行う。ＲＡＭ１２は、ＣＰＵ１１のワークエリアとして使用される。ＲＯＭ１３は、装置全体を制御するためのプログラムなどを記憶している。通信部１４は、イントラネットＮ１を介して接続された装置との通信を確立し、データの送受信を行う。記憶部１５は、例えばハードディスクであり、表示装置３０が解釈可能な形式に変換された変換データなどを記憶する。
【００１４】
（携帯電話機の構成）
次に、携帯電話機２０の構成について説明する。この携帯電話機２０は、テキスト形式やＤＯＣ形式など、各種の形式のデータを解釈することができる。図３は、携帯電話機２０の構成を示すブロック図である。同図に示すように、携帯電話機２０は、ＣＰＵ２１と、ＲＡＭ２２と、ＲＯＭ２３と、第１無線通信部２４と、第２無線通信部２５と、記憶部２６と、操作部２７と、表示部２８と、通話部２９とを備えている。本実施形態では、通信手段として第１無線通信部２４を用いており、通知手段としてＣＰＵ２１を用いている。ＣＰＵ２１は、ＲＯＭ２３又は記憶部２６に記憶されているプログラムを実行して各種の処理を行う。ＲＡＭ２２は、ＣＰＵ２１のワークエリアとして使用される。ＲＯＭ２３は、機器全体を制御するためのプログラムなどを記憶している。第１無線通信部２４は、アンテナなどを備えており、例えばＷＣＤＭＡ（Wideband Code Division Multiple Access）に従って中継装置６０やアクセスポイント９０との無線通信を確立し、データの送受信を行う。この第１無線通信部２４は、セキュリティの高い独自の通信プロトコル又はＰＰＰ（Point to Point Protocol）プロトコルなどの独自の通信プロトコルとは異なる通信プロトコルのいずれかに従って通信を行う。第２無線通信部２５は、例えばアンテナを備えるＢｌｕｅｔｏｏｔｈ（登録商標）モジュールであり、Ｂｌｕｅｔｏｏｔｈ通信方式に従って表示装置３０との無線通信を確立し、データの送受信を行う。記憶部２６は、例えばフラッシュメモリであり、ＣＰＵ２１によって実行されるプログラムや各種データを記憶している。操作部２７は、複数の操作ボタンなどを備えており、利用者の操作を受け付けて、その操作に応じた操作信号をＣＰＵ２１に入力する。表示部２８は、例えば液晶ディスプレイであり、ＣＰＵ２１によって供給されるデータに応じた画像を表示する。通話部２９は、マイクロホン、スピーカー、信号処理部などを備えており、通話機能を実現する。
【００１５】
（表示装置の構成）
次に、表示装置３０の構成について説明する。この表示装置３０は、独自形式のデータは解釈することができるが、携帯電話機２０が解釈可能なテキスト形式やＤＯＣ形式のデータについては解釈することができない。図４は、表示装置３０の外観を示す斜視図であり、図５は、表示装置３０の構成を示すブロック図である。同図に示すように、表示装置３０は、ＣＰＵ３１と、ＲＡＭ３２と、ＲＯＭ３３と、無線通信部３４と、電源３５と、電源制御部３６と、操作部３７と、記憶部３８と、記憶性表示体３９とを備えている。本実施形態では、表示手段として記憶性表示体３９を用い、取得手段及び制御手段としてＣＰＵ３１を用いている。ＣＰＵ３１は、ＲＯＭ３３又は記憶部３８に記憶されているプログラムを実行して各種の処理を行う。ＲＡＭ３２は、ＣＰＵ３１のワークエリアとして使用される。ＲＯＭ３３は、装置全体を制御するためのプログラムなどを記憶している。無線通信部３４は、例えばアンテナを有するＢｌｕｅｔｏｏｔｈモジュールであり、Ｂｌｕｅｔｏｏｔｈ通信方式に従って携帯電話機２０との無線通信を確立し、データの送受信を行う。電源３５は、例えば充電可能な電池であり、装置の各部に電力を供給する。電源制御部３６は、電源３５の管理を行うとともに、電源３５による電力供給を制御する。操作部３７は、複数の操作キーを備えており、利用者の操作を受け付けて、その操作に応じた操作信号をＣＰＵ３１に入力する。記憶部３８は、例えばフラッシュメモリであり、ＣＰＵ３１によって実行されるプログラムの他に、記憶性表示体３９に画像を表示させるためのデータやユーザ情報などを記憶している。記憶性表示体３９は、電子泳動素子などの複数の表示素子によって構成された表示面や駆動回路などを備えており、表示素子が駆動されることによりデータに応じた画像を表示する。この表示面は、例えばＡ４サイズであり、携帯電話機２０の表示部２８よりも大きな表示領域を有している。また、記憶性表示体３９は、表示の記憶性を有しており、表示素子が駆動されて画像を表示するまでの駆動期間においては電力が必要であるが、その駆動期間が経過して画像が表示された後は、電力が供給されなくてもその画像を表示し続けることができる。
【００１６】
ここで、表示装置３０が使用する通信プロトコルについて説明する。図６は、表示装置３０が使用する通信プロトコルを示す図である。同図に示すように、表示装置３０は、ＨＴＴＰ（Hypertext Transfer Protocol）、ＴＣＰ（Transmission Control Protocol）、ＵＤＰ（User Datagram Protocol）、ＩＰ（Internet Protocol）、ＰＰＰなどの通信プロトコルを使用することができる。また、表示装置３０は、ＴＣＰやＩＰを基盤とした通信プロトコルであるＦＴＰ（File Transfer Protocol）なども使用することができる。
【００１７】
［動作］
次に、通信システム１の動作について説明する。ここでは、まず、携帯電話機２０と表示装置３０の定期チェック処理について説明した後、通信システム１全体の動作について説明する。
（携帯電話機の定期チェック処理）
図７は、携帯電話機２０の定期チェック処理を示すフロー図である。この定期チェック処理は、例えば１５分などの所定の時間毎に行われるようになっている。まず、携帯電話機２０のＣＰＵ２１は、第２無線通信部２５により、表示装置３０とＦＴＰで接続する（ステップＳ１１）。この接続は、Ｂｌｕｅｔｏｏｔｈ通信方式に従って無線で行われる。このとき、表示装置３０はＦＴＰサーバとして機能し、携帯電話機２０はＦＴＰクライアントとして機能する。続いて、ＣＰＵ２１は、新規の電子メールがあるか否かを判定する（ステップＳ１２）。例えば、メールサーバ装置４０から新規の電子メールが送られてきた場合、ＣＰＵ２１は、新規の電子メールがあると判定する（ステップＳ１２：ＹＥＳ）。この場合、ＣＰＵ２１は、後述するステップＳ１０３に進む。一方、メールサーバ装置４０から新規の電子メールが送られてこない場合、ＣＰＵ２１は、新規の電子メールがないと判定する（ステップＳ１２：ＮＯ）。この場合、ＣＰＵ２１は、表示装置３０との接続を切断し（ステップＳ１３）、定期チェック処理を終了する。
【００１８】
（表示装置の定期チェック処理）
図８は、表示装置３０の定期チェック処理を示すフロー図である。この定期チェック処理は、携帯電話機２０と同じ時間毎に行われるようになっている。表示装置３０は、この定期チェック処理を行うときにはオン状態で動作する。このオン状態とは、電源制御部３６により電源３５から表示装置３０の各部に電力が供給される動作状態をいう。まず、表示装置３０のＣＰＵ３１は、無線通信部３４によって、携帯電話機２０とＦＴＰで接続する（ステップＳ２１）。この接続は、Ｂｌｕｅｔｏｏｔｈ通信方式に従って無線で行われる。上述したように、このとき、表示装置３０はＦＴＰサーバとして機能し、携帯電話機２０はＦＴＰクライアントとして機能する。続いて、ＣＰＵ３１は、無線通信部３４によって携帯電話機２０からデータを受信する（ステップＳ２２）。続いて、ＣＰＵ３１は、受信したデータの中に更新ファイルリストがあるか否かを判定する（ステップＳ２３）。この更新ファイルリストは、携帯電話機２０に新規の電子メールが届いたときに作成され、表示装置３０に送信されるものである。例えば、受信したデータの中に更新ファイルリストが含まれている場合、ＣＰＵ３１は、更新ファイルリストがあると判定する（ステップＳ２３：ＹＥＳ）。この場合、ＣＰＵ３１は、後述するステップＳ１０５に進む。一方、受信したデータの中に更新ファイルリストが含まれていない場合、ＣＰＵ３１は、更新ファイルリストがないと判定する（ステップＳ２３：ＮＯ）。この場合、ＣＰＵ３１は、所定の時間後に起動する準備を行ってから（ステップＳ２４）、電源制御部３６によって電源３５をオフにする（ステップＳ２５）。このとき、表示装置３０はオン状態よりも電力消費の少ないオフ状態になり、携帯電話機２０との接続も切断される。このオフ状態は、表示装置３０全体に電力が供給されないシャットダウン状態であってもよいし、あるいは表示装置３０の一部にしか電力が供給されないスタンバイ状態であってもよい。
【００１９】
（通信システムの動作）
次に、通信システム１全体の動作について説明する。図９は、通信システム１の動作を示すシーケンス図である。ここでは、図示せぬ外部装置から携帯電話機２０宛てに、文章データが添付された電子メールが送信された場合の動作について説明する。この電子メール及び文章データは、いずれも携帯電話機２０が解釈可能なデータ形式で作成されている。ここでは、電子メールがテキスト形式で作成されており、文章データがＤＯＣ形式で作成されている場合を例に挙げて説明する。この電子メールは、まずメールサーバ装置４０に送信される。メールサーバ装置４０は、外部装置から電子メールが送られてくると、この電子メールを宛先の携帯電話機２０と、文書サーバ装置１０とに転送する（ステップＳ１０１）。このとき、携帯電話機２０に送られる電子メールは、図示せぬ専用のサーバ装置により、上述した独自の通信プロトコルを用いて携帯電話機２０へ送信される。
【００２０】
文書サーバ装置１０のＣＰＵ１１は、メールサーバ装置４０から電子メールが送られてくると、この電子メールを受信する。そして、ＣＰＵ１１は、受信した電子メールと、その電子メールに添付された文章データとを、表示装置３０が解釈可能なデータ形式に変換する（ステップＳ１０２）。つまり、ＣＰＵ１１は、携帯電話機２０が解釈可能な第１の形式のデータを取得し、取得した第１の形式のデータを表示装置３０が解釈可能な第２の形式のデータに変換する。この例では、テキスト形式の電子メール及びＤＯＣ形式の文章データが、いずれも独自形式のデータに変換される。そして、ＣＰＵ１１は、変換したデータを変換データとして記憶部１５に記憶させる。
【００２１】
携帯電話機２０は、上述したように、所定の時間毎に図７に示した定期チェック処理を行っている。この例のように、メールサーバ装置４０から自装置宛ての電子メールが送られる場合、定期チェック処理のステップＳ１２では、新規の電子メールがあると判定される（図７のステップＳ１２：ＹＥＳ）。この場合、ＣＰＵ２１は、第１無線通信部２４によって、メールサーバ装置４０から送られてきた電子メールを受信する（図９のステップＳ１０３）。続いて、ＣＰＵ２１は、受信した電子メール及びその電子メールに添付されている文章データを識別する識別情報を含む更新ファイルリストを作成し、第２無線通信部２５によって表示装置３０に送信する（ステップＳ１０４）。つまり、ＣＰＵ２１は、第１無線通信部２４が第１の通信プロトコル（独自の通信プロトコル）に従って自装置が解釈可能な第１の形式のデータを取得すると、当該データの取得を表示装置３０に通知する。続いて、ＣＰＵ２１は、第２無線通信部２５によって、ｄｉｓｃｏｎｎｅｃｔコマンドを表示装置３０に送信し、切断を要求し（ステップＳ１０６）、その後にダイヤルアップ接続の準備をする（ステップＳ１０８）。
【００２２】
表示装置３０は、上述したように、携帯電話機２０と同じ時間毎に図８に示した定期チェック処理を行っている。この例のように、携帯電話機２０から更新ファイルリストが送られる場合、定期チェック処理のステップＳ２２では、更新ファイルリストを含むデータが受信され、続くステップＳ２３では、更新ファイルリストがあると判定される（図８のステップＳ２３：ＹＥＳ）。この場合、ＣＰＵ３１は、携帯電話機２０から送られてきたデータから更新ファイルリストを抽出し、取得する（図９のステップＳ１０５）。そして、上述したステップＳ１０６にて、携帯電話機２０からｄｉｓｃｏｎｎｅｃｔコマンドが送信されて切断が要求されると、ＣＰＵ３１は、ＦＴＰでの接続を切断する（ステップＳ１０７）。
【００２３】
ＦＴＰでの接続が切断されると、携帯電話機２０のＣＰＵ２１は、第２無線通信部２５によって、表示装置３０とダイヤルアップ（ＤＵＰ）で接続する（ステップＳ１０９）。また、表示装置３０のＣＰＵ３１も、無線通信部３４によって、携帯電話機２０とダイヤルアップ（ＤＵＰ）で接続する（ステップＳ１１０）。この接続は、Ｂｌｕｅｔｏｏｔｈ通信方式に従って無線で行われる。また、このダイヤルアップ接続では、上述したＰＰＰという通信プロトコルが用いられる。このとき、表示装置３０は本体として機能し、携帯電話機２０はモデムとして機能する。続いて、ＣＰＵ３１は、携帯電話機２０の第１無線通信部２４を介して、アクセスポイント９０を経由してアクセスポイントサーバ装置７０にアクセスして、ＰＰＰ認証を行う（ステップＳ１１１）。このＰＰＰ認証が成功すると、続いて、ＣＰＵ３１は、携帯電話機２０の第１無線通信部２４を介して、認証サーバ装置５０にアクセスして、ＨＴＴＰアクセス認証を行う（ステップＳ１１２）。このＨＴＴＰアクセス認証が成功すると、ＣＰＵ３１は、携帯電話機２０の第１無線通信部２４を介して、ＨＴＴＰのＧＥＴコマンドを文書サーバ装置１０に送信して、ステップＳ１０５にて取得した更新ファイルリストに含まれる識別情報が表す電子メール及び文章データが変換された変換データを要求する（ステップＳ１１３）。
【００２４】
変換データが要求されると、文書サーバ装置１０のＣＰＵ１１は、要求された変換データを記憶部１５から読み出し、通信部１４によって要求元の表示装置３０に送信する（ステップＳ１１４）。この例では、独自形式の電子メール及び文章データが変換データとして送信される。変換データが送信されてくると、表示装置３０のＣＰＵ３１は、携帯電話機２０の第１無線通信部２４を介して、この変換データを受信する（ステップＳ１１５）。つまり、ＣＰＵ３１は、携帯電話機２０によってデータの取得が通知されると、携帯電話機２０の第１無線通信部２４を介して、自装置が解釈可能な第２の形式に変換されたデータを、第２の通信プロトコル（ＰＰＰプロトコル）に従って、文書サーバ装置１０から取得する。変換データを受信すると、ＣＰＵ３１は、無線通信部３４によりｄｉｓｃｏｎｎｅｃｔコマンドを携帯電話機２０に送信し、切断を指示する（ステップＳ１１６）。携帯電話機２０のＣＰＵ２１は、表示装置３０からｄｉｓｃｏｎｎｅｃｔコマンドが送信されてくると、これを受信し、ダイヤルアップ接続を切断する（ステップＳ１１７）。
【００２５】
このようにして、独自形式の電子メール及び文章データを取得すると、表示装置３０のＣＰＵ３１は、それらのデータに応じた画像を記憶性表示体３９に表示させる（ステップＳ１１８）。つまり、ＣＰＵ３１は、取得した第２の形式のデータを解釈して、当該データに応じた画像を記憶性表示体３９に表示させる。この例では、独自形式の電子メールや文章データに応じた画像が記憶性表示体３９に表示される。これにより、携帯電話機２０の利用者は、携帯電話機２０が受信した電子メールやそれに添付された文章データの内容を、表示領域が大きい表示装置３０の記憶性表示体３９で見ることができる。
【００２６】
そして、記憶性表示体３９に画像が表示された後、ＣＰＵ３１は、上述した定期チェック処理のステップＳ２４に進み、所定の時間後に起動する準備を行った後、続くステップＳ２５にて電源制御部３６によって電源３５をオフにする。つまり、表示装置３０は、携帯電話機２０によってデータの取得が通知されたときには、第１の動作状態（オン状態）で動作し、記憶性表示体３９に画像が表示されてから、携帯電話機２０によって新たな電子メールの取得が通知されるまでの間は、第１の動作状態よりも電力消費が少ない第２の動作状態（オフ状態）で動作する。
【００２７】
以上説明した実施形態によれば、表示装置３０と携帯電話機２０との間で解釈可能なデータの形式や使用する通信プロトコルが異なっていても、携帯電話機２０が取得するデータの内容を表示装置３０にて表示することができる。また、携帯電話機２０に新規の電子メールが届いていない場合には、表示装置３０の電源がオフになるため、表示装置３０の消費電力を抑えることができる。
【００２８】
［変形例］
以上が実施形態の説明であるが、この実施形態の内容は以下のように変形し得る。また、以下の変形例を適宜組み合わせてもよい。
（変形例１）
上述した実施形態では、変換データを全て取得して画像の表示を行っていたが、変換データの取得方法はこれに限らない。例えば、変換データが複数のページに区切られている場合、表示装置３０のＣＰＵ３１は、まず、変換データの１ページ目だけを取得し、取得した１ページ目の画像を記憶性表示体３９に表示させる。そして、ＣＰＵ３１は、利用者によって表示装置３０の操作部３７が操作されて、次ページの表示が指示された時に、変換データの２ページ目を文書サーバ装置１０から取得し、取得した２ページ目の画像を記憶性表示体３９に表示させてもよい。つまり、ＣＰＵ３１は、携帯電話機２０によってデータの取得が通知されると、携帯電話機２０の第１無線通信部２４を介して、自装置が解釈可能な第２の形式に変換されたデータの最初のページを文書サーバ装置１０から取得し、取得した当該最初のページ以外の他ページの表示が指示されると、第２の形式のデータの当該他のページを文書サーバ装置１０から取得する。このページとは、表示順序が決められた１画面分の画像を表示させるためのデータをいう。
【００２９】
（変形例２）
上述した実施形態において、文書サーバ装置１０のＣＰＵ１１は、メールサーバ装置４０から送られてきたデータが表示に適さない場合には、変換データを作成しない、又は、表示装置３０から変換データが要求されても、変換データの送信を行わなくてもよい。この表示に適さないデータとは、例えば、正常に画像表示を行えないサイズのデータや、予め表示が禁止されている内容のデータなどが考えられる。つまり、この変形例では、禁止手段としてＣＰＵ１１が用いられ、ＣＰＵ１１は、取得した第１の形式のデータの内容に基づいて、当該データが表示に適しているか否かを判定し、表示に適さないデータであると判定した場合には、表示装置３０が解釈可能な第２の形式のデータへの変換を禁止し、又は表示装置３０による当該データの取得を禁止する。
【００３０】
（変形例３）
上述した実施形態において、表示装置３０のＣＰＵ３１は、データに応じた画像を記憶性表示体３９に表示させた後、このデータを削除してもよい。上述したように、表示装置３０は、表示の記憶性を有しているため、いったん画像が表示された後はその画像が表示され続けるようになっており、画像を表示させるためのデータを削除しても画像の表示に影響を及ぼすことはない。また、変換データは文章データ装置１０の記憶部１５に記憶されているため、変換データが再び必要になった場合には、文章データ装置１０から再度取得すればよい。これにより、表示装置３０が保持するデータの容量を減らすことができる。
【００３１】
（変形例４）
上述した実施形態では、携帯電話機２０と表示装置３０とが無線で接続される場合を例に挙げて説明したが、携帯電話機２０と表示装置３０との接続手段はこれに限らない。例えば、携帯電話機２０と表示装置３０とが通信ケーブルにより有線で接続されていてもよい。
【００３２】
（変形例５）
上述した実施形態において、表示装置３０のＣＰＵ３１は、携帯電話機２０から画像を表示させるためのデータ（例えば、電子メール）を取得し、取得したデータが自装置の解釈可能なデータ形式と異なる場合、自装置が解釈可能な変換データを文書サーバ装置１０から取得してもよい。
【００３３】
（変形例６）
上述した実施形態では、通信装置として携帯電話機を用いた例を挙げて説明したが、通信装置をその他の装置に適用することも可能である。例えば、通信装置として、ＰＨＳ（Personal Handyphone System）、ＰＤＡ（Personal Digital Assistance）、携帯ゲーム機等の装置が用いられてもよい。また、上述した実施形態では、表示装置として表示の記憶性を有する表示装置を用いた例を挙げて説明したが、表示の記憶性を有さない表示装置が用いられてもよい。また、本発明は、携帯電話機２０と表示装置３０とを備える表示システムとしても特定され得るし、表示装置３０単体としても特定され得る。
【００３４】
（変形例７）
上述した実施形態において、文書サーバ装置１０、携帯電話機２０、表示装置３０にて行なわれる各動作は、それぞれ、単一のプログラムによって実現されてもよいし、複数のプログラムの組み合わせによって実現されてもよい。また、文書サーバ装置１０、携帯電話機２０、表示装置３０にて行なわれる各動作は、それぞれ、単一のハードウェア資源によって実現されてもよいし、複数のハードウェア資源の協働によって実現されてもよい。
【００３５】
（変形例８）
上述した実施形態において、文書サーバ装置１０のＣＰＵ１１、携帯電話機２０のＣＰＵ２１、表示装置３０のＣＰＵ３１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００３６】
【図１】実施形態に係る通信システムの構成を示す図である。
【図２】上記表示システムの文書サーバ装置の構成を示すブロック図である。
【図３】上記表示システムの携帯電話機の構成を示すブロック図である。
【図４】上記表示システムの表示装置の外観を示す斜視図である。
【図５】上記表示システムの表示装置の構成を示すブロック図である。
【図６】上記表示装置が使用する通信プロトコルを示す図である。
【図７】上記携帯電話機の定期チェック処理を示すフロー図である。
【図８】上記表示装置の定期チェック処理を示すフロー図である。
【図９】上記通信システムの動作を示すシーケンス図である。
【符号の説明】
【００３７】
１…通信システム、１０…文書サーバ装置、１１…ＣＰＵ、１２…ＲＡＭ、１３…ＲＯＭ、１４…通信部、１５…記憶部、２０…携帯電話機、２１…ＣＰＵ、２２…ＲＡＭ、２３…ＲＯＭ、２４…第１無線通信部、２５…第２無線通信部、２６…記憶部、２７…操作部、２８…表示部、２９…通話部、３０…表示装置、３１…ＣＰＵ、３２…ＲＡＭ、３３…ＲＯＭ、３４…無線通信部、３５…電源、３６…電源制御部、３７…操作部、３８…記憶部、３９…記憶性表示体。
【図１】
2010068094.tif 000003
【図２】
2010068094.tif 000004
【図３】
2010068094.tif 000005
【図４】
2010068094.tif 000006
【図５】
2010068094.tif 000007
【図６】
2010068094.tif 000008
【図７】
2010068094.tif 000009
【図８】
2010068094.tif 000010
【図９】
2010068094.tif 000011